(57)【要約】【課題】  蓄積したコンテンツの転送・削除などの編集を容易に実施可能なコンテンツ蓄積装置を提供する。【解決手段】  ＨＤＤ１０３に蓄積したコンテンツ例えば音楽データ１０３ａを音楽データ管理手段１０２にて管理テーブル１０３ｂにより管理し、インデックス音楽データ生成手段１０４にて各音楽データの内容を案内可能なインデックス音楽を生成し、更に、当該装置と別の外部装置で各音楽データに関して指定した編集操作の指示が可能な外部管理テーブルを外部管理テーブル生成手段１０５にて生成して、前記インデックス音楽と共に着脱可能なメモリカード１０６ａに転送記録し、前記外部装置にて、メモリカード１０６ａに記録したインデックス音楽を試聴しながら各音楽データの編集指示を外部管理テーブルに設定した後、当該装置に再度挿着したメモリカード１０６ａから外部管理テーブルの編集指示を読み出して、ＨＤＤ１０３の各音楽データ１０３ａを編集する。【選択図】図１
2011040159.tif 000002
【特許請求の範囲】
【請求項１】
記録蓄積したコンテンツデータの特定情報を格納した管理テーブルでコンテンツデータを管理するコンテンツ蓄積装置であって、
前記コンテンツデータの特定情報と、当該コンテンツ蓄積装置とは異なる外部装置に編集操作の実行を許可する制御コードと、前記コンテンツデータ毎に設けた前記制御コードの実行を指示する領域とを有する外部管理テーブルを生成する外部管理テーブル生成手段と、
外部メモリに対して、前記外部管理テーブルと前記コンテンツデータを入出力する外部入出力インターフェース手段とを備え、
前記外部装置からの指示に応じて、前記外部メモリのコンテンツデータに対して編集操作を実行することを特徴とするコンテンツ蓄積装置。
【請求項２】
請求項１記載のコンテンツ蓄積装置であって、
前記コンテンツデータの内容を案内するインデックスコンテンツデータ生成手段を備えるとともに、前記外部入出力インターフェース手段は、前記外部メモリに対して、前記インデックスコンテンツデータを出力することを特徴とするコンテンツ蓄積装置。
【請求項３】
外部メモリに格納された複数のコンテンツデータを再生するコンテンツ再生装置であって、
当該コンテンツ再生装置とは異なる外部装置に記録蓄積されているコンテンツデータの特定情報と、前記外部装置より編集操作の実行を許可されている制御コードと、前記コンテンツデータ毎に設けた前記制御コードの実行を指示する領域とを有する外部管理テーブルに前記編集操作を指示する外部管理テーブル編集手段と、
当該コンテンツ再生装置と前記外部メモリとの間で、前記外部管理テーブルと前記コンテンツデータを入出力する外部入出力インターフェース手段とを備え、
前記外部メモリのコンテンツデータに対して編集操作を指示する前記外部管理テーブルを前記外部メモリに出力することを特徴とするコンテンツ再生装置。
【請求項４】
請求項３記載のコンテンツ再生装置であって、
前記外部メモリは、コンテンツデータの内容を案内するインデックスコンテンツデータを備えるとともに、前記外部入出力インターフェース手段は、前記外部メモリから、前記インデックスコンテンツデータを入力することを特徴とするコンテンツ再生装置。
【請求項５】
請求項１乃至請求項４記載の外部メモリは、
前記外部管理テーブル及び前記コンテンツデータの記録領域を設けたことを特徴とする着脱可能な記録媒体。
【請求項６】
請求項２及び請求項４記載の外部メモリは、
前記外部管理テーブル及び前記コンテンツデータ及び前記インデックスコンテンツデータの記録領域を設けたことを特徴とする着脱可能な記録媒体。
【請求項７】
記録蓄積したコンテンツデータの特定情報を格納した管理テーブルでコンテンツデータを管理するコンテンツ蓄積制御方法であって、
前記コンテンツデータの特定情報と、当該コンテンツ蓄積装置とは異なる外部装置に編集操作の実行を許可する制御コードと、前記コンテンツデータ毎に設けた前記制御コードの実行を指示する領域とを有する外部管理テーブルを生成する外部管理テーブル生成ステップと、
外部メモリに対して、前記外部管理テーブルと前記コンテンツデータを入出力する外部入出力ステップとを備え、
前記外部装置からの指示に応じて、前記外部メモリのコンテンツデータに対して編集操作を実行することを特徴とするコンテンツ蓄積制御方法。
【請求項８】
外部メモリに格納された複数のコンテンツデータを再生するコンテンツ再生制御方法であって、
当該コンテンツ再生装置とは異なる外部装置に記録蓄積されているコンテンツデータの特定情報と、前記外部装置より編集操作の実行を許可されている制御コードと、前記コンテンツデータ毎に設けた前記制御コードの実行を指示する領域とを有する外部管理テーブルに前記編集操作を指示する外部管理テーブル編集ステップと、
当該コンテンツ再生装置と前記外部メモリとの間で、前記外部管理テーブルと前記コンテンツデータを入出力する外部入出力ステップとを備え、
前記外部メモリのコンテンツデータに対して編集操作を指示する前記外部管理テーブルを前記外部メモリに出力することを特徴とするコンテンツ再生制御方法。
【発明の詳細な説明】
【技術分野】
【０００１】
本発明は、コンテンツ蓄積装置、コンテンツ再生装置、記録媒体、コンテンツ蓄積制御方法及び、コンテンツ再生制御方法に関し、特に、大容量の蓄積手段を備えたコンテンツ蓄積装置におけるコンテンツデータの編集操作の操作性を大幅に向上可能とするコンテンツ蓄積装置、コンテンツ再生装置、記録媒体、コンテンツ蓄積制御方法及び、コンテンツ再生制御方法に関する。
【背景技術】
【０００２】
近年、ＨＤＤ（ハードディスクドライブ）は低価格化・大容量化が進み、コンピュータの記憶装置以外に民生機器の分野においても、例えば、ビデオレコーダやカーナビゲーションなどの記憶装置として幅広く採用されてきている。また、半導体メモリを応用したフラッシュメモリカード（以下、メモリカードと呼ぶ）についても、半導体の低価格化・大容量化により大容量のメモリカードが製品化され、かかるメモリカードを挿着するメモリカードスロットも、例えば、デジタルカメラの分野においては、既に主流になってきており、更には、カメラ機構を内蔵した携帯電話機などの分野でも幅広く搭載されるようになってきている。
【０００３】
また、オーディオ分野においても、ＨＤＤ、ＣＤドライブ、メモリカードスロットなどを搭載し、ＣＤの音楽を聴いたり、ＣＤの楽曲をＨＤＤへ録音して、好きな時にＨＤＤから呼び出して聴いたりすることができるＨＤＤコンポも登場してきている。そして、アルバムＣＤの１００枚以上にも相当する大量の楽曲をＨＤＤに録音したり、メモリカードスロットにメモリカードを挿着した後、ＨＤＤコンポに備えられた案内画面を用いて、ＨＤＤに録音されている楽曲を選択して、挿着してあるメモリカードに音楽データを高速転送したりすることも可能である。また、転送して録音したメモリカードは、対応した可搬型ポータブル音楽プレーヤにより再生させることにより、携帯しながら楽曲を楽しむことができるようになっている。
【０００４】
また、楽曲の編集を行う際の画面操作の手間を軽減するために、特許文献１に示す特開２００２−３４３０６６号公報「オーディオ再生装置、オーディオ再生制御装置、曲データ管理方法及び曲データ再生方法」においては、オーディオ再生装置に蓄積されている曲データを管理する管理テーブルを着脱可能なメモリカードに蓄積することとしている。
【０００５】
もって、該メモリカードを取り出して当該オーディオ再生装置と異なる外部の装置（例えば、パーソナルコンピュータ、ＰＤＡなど）に挿着することにより、パーソナルコンピュータ、ＰＤＡなどのごとく、該メモリカードに蓄積されているデータを読み書きすることができる専用のソフトウエアがインストールされていて、元のオーディオ再生装置の表示部よりもより大きな表示画面を備えている外部の装置を用いて、前記メモリカードに蓄積されている管理テーブル即ち曲データの一覧をより大きな表示画面に表示して、元のオーディオ再生装置で再生したい曲データに関する再生リストを編集して、管理テーブルとして前記メモリカードに蓄積し直し、蓄積し直した該メモリカードを元のオーディオ再生装置に再度挿着することにより、編集された管理テーブルに従って曲データを再生させるようにするという、オーディオ再生装置の曲データの管理方法が提案されている。
【先行技術文献】
【特許文献】
【０００６】
【特許文献１】特開２００２−３４３０６６号公報（第５−６頁、図４，５）
【発明の概要】
【発明が解決しようとする課題】
【０００７】
前記特許文献１の技術は、多数の曲データの中からオーディオ再生装置で再生したい曲データを選択して管理テーブルとして編集し直す場合に、パーソナルコンピュータやＰＤＡなどより大きな表示画面を備えている外部装置を用いて編集することができる環境であれば、曲データに関する管理テーブルの編集作業についての効率化を期待することができる。しかしながら、ポータブル音楽プレーヤなどのごとき携帯可能な機器において編集するような場合は、曲データなどのコンテンツデータを再生する機構を重点的に充実させる必要があること、及び、小型・軽量化を図る必要があることなどの理由から、一般に、小さな表示画面や小容量のコンテンツデータ蓄積手段しか備えていないため、前記特許文献１のような技術は、曲データなどのコンテンツデータに関する管理テーブルの編集操作の手間が反って増加してしまう結果を招いてしまい、小さな表示画面しか備えていないような機器に対しては適用することができない。
【０００８】
また、前記特許文献１の技術は、たとえ、大きな表示画面を備えている外部装置を用いて操作することにしても、前記特許文献１の図５にも示されているように、編集すべき曲データの曲名やアーティスト名などのテキストデータを用いて、管理テーブルの編集を行わなくてはならず、操作性の面で難点があるという課題があった。更に、外部装置において行うことができる操作は、画面表示されている管理テーブルの一覧表示の中から再生したい曲データを選択するという１種類の操作のみに限られていた。
【０００９】
本発明は、かかる事情に鑑みてなされたものであり、画面表示手段としては、小さな表示画面しか表示できないにも関わらず、コンテンツデータを蓄積する大容量の蓄積手段を備えたコンテンツ蓄積装置におけるコンテンツデータの編集操作に関する操作性を大幅に向上可能とすることを目的とする。
【課題を解決するための手段】
【００１０】
本発明にかかるコンテンツ蓄積装置は、記録蓄積したコンテンツデータの特定情報を格納した管理テーブルでコンテンツデータを管理するコンテンツ蓄積装置であって、前記コンテンツデータの特定情報と、当該コンテンツ蓄積装置とは異なる外部装置に編集操作の実行を許可する制御コードと、前記コンテンツデータ毎に設けた前記制御コードの実行を指示する領域とを有する外部管理テーブルを生成する外部管理テーブル生成手段と、外部メモリに対して、前記外部管理テーブルと前記コンテンツデータを入出力する外部入出力インターフェース手段とを備え、前記外部装置からの指示に応じて、前記外部メモリのコンテンツデータに対して編集操作を実行することを特徴とする。
【００１１】
さらには、前記コンテンツ蓄積装置であって、前記コンテンツデータの内容を案内するインデックスコンテンツデータ生成手段を備えるとともに、前記外部入出力インターフェース手段は、前記外部メモリに対して、前記インデックスコンテンツデータを出力することを特徴とする。
【００１２】
本発明にかかるコンテンツ再生装置は、外部メモリに格納された複数のコンテンツデータを再生するコンテンツ再生装置であって、当該コンテンツ再生装置とは異なる外部装置に記録蓄積されているコンテンツデータの特定情報と、前記外部装置より編集操作の実行を許可されている制御コードと、前記コンテンツデータ毎に設けた前記制御コードの実行を指示する領域とを有する外部管理テーブルに前記編集操作を指示する外部管理テーブル編集手段と、当該コンテンツ再生装置と前記外部メモリとの間で、前記外部管理テーブルと前記コンテンツデータを入出力する外部入出力インターフェース手段とを備え、前記外部メモリのコンテンツデータに対して編集操作を指示する前記外部管理テーブルを前記外部メモリに出力することを特徴とする。
【００１３】
さらには、前記コンテンツ再生装置であって、前記外部メモリは、コンテンツデータの内容を案内するインデックスコンテンツデータを備えるとともに、前記外部入出力インターフェース手段は、前記外部メモリから、前記インデックスコンテンツデータを入力することを特徴とする。
【００１４】
また、前記外部メモリは、前記外部管理テーブル及び前記コンテンツデータの記録領域を設けた着脱可能な記録媒体であることを特徴とする。
【００１５】
さらには、外部メモリは、前記外部管理テーブル及び前記コンテンツデータ及び前記インデックスコンテンツデータの記録領域を設けた着脱可能な記録媒体であることを特徴とする。
【００１６】
また、本発明にかかるコンテンツ蓄積制御方法は、記録蓄積したコンテンツデータの特定情報を格納した管理テーブルでコンテンツデータを管理するコンテンツ蓄積制御方法であって、前記コンテンツデータの特定情報と、当該コンテンツ蓄積装置とは異なる外部装置に編集操作の実行を許可する制御コードと、前記コンテンツデータ毎に設けた前記制御コードの実行を指示する領域とを有する外部管理テーブルを生成する外部管理テーブル生成ステップと、外部メモリに対して、前記外部管理テーブルと前記コンテンツデータを入出力する外部入出力ステップとを備え、前記外部装置からの指示に応じて、前記外部メモリのコンテンツデータに対して編集操作を実行することを特徴とする。
【００１７】
また、本発明にかかるコンテンツ再生制御方法は、外部メモリに格納された複数のコンテンツデータを再生するコンテンツ再生制御方法であって、当該コンテンツ再生装置とは異なる外部装置に記録蓄積されているコンテンツデータの特定情報と、前記外部装置より編集操作の実行を許可されている制御コードと、前記コンテンツデータ毎に設けた前記制御コードの実行を指示する領域とを有する外部管理テーブルに前記編集操作を指示する外部管理テーブル編集ステップと、当該コンテンツ再生装置と前記外部メモリとの間で、前記外部管理テーブルと前記コンテンツデータを入出力する外部入出力ステップとを備え、前記外部メモリのコンテンツデータに対して編集操作を指示する前記外部管理テーブルを前記外部メモリに出力することを特徴とする。
【発明の効果】
【００１８】
以上に説明したように、本発明に係るコンテンツ蓄積装置、コンテンツ再生装置、記録媒体、コンテンツ蓄積制御方法及び、コンテンツ再生制御方法によれば、大容量の蓄積手段を備えたコンテンツ蓄積装置におけるコンテンツデータの編集操作に関わる操作性を大幅に向上させることができる。
【図面の簡単な説明】
【００１９】
【図１】本発明に係るコンテンツ蓄積装置の構成に関する実施形態の一例である音楽蓄積装置のシステム構成図である。
【図２】音楽蓄積装置のＨＤＤに記憶された管理テーブルに登録されている特定情報即ち管理データの構成の一例を示すメモリ構成図である。
【図３】メモリカードインターフェースに挿着されたメモリカードに転送して記憶させる外部管理テーブルの構成の一例を示すメモリ構成図である。
【図４】メモリカードインターフェースに挿着されたメモリカードに転送されて記録される各種データの構成の一例を示すメモリ構成図である。
【図５】音楽蓄積装置に備えられたメモリカードインターフェースに挿着されたメモリカードへの書き出しに関する蓄積制御プログラムの動作の一例を示す動作フローチャートである。
【図６】音楽蓄積装置に備えられたメモリカードインターフェースに挿着されたメモリカードの転送外部管理テーブル記録領域からの転送外部管理テーブルの編集操作指示内容に応じた処理を行う蓄積制御プログラムの動作の一例を示す動作フローチャートである。
【図７】本発明に係るコンテンツ再生装置の構成に関する実施形態の一例である音楽再生装置のシステム構成図である。
【図８】音楽再生装置に備えられたメモリカードインターフェースに挿着されたメモリカードの外部管理テーブル記録領域に記録されている転送外部管理テーブルの編集処理を行う再生制御プログラムの動作の一例を示す動作フローチャートである。
【発明を実施するための形態】
【００２０】
以下、本発明に係るコンテンツ蓄積装置、コンテンツ再生装置、記録媒体、コンテンツ蓄積制御方法及び、コンテンツ再生制御方法に関する実施形態の一例について、図面を参照しながら詳細に説明する。なお、以下の説明においては、コンテンツ蓄積装置としては音楽蓄積装置を、コンテンツ再生装置としては音楽再生装置を用いている場合を例にとって説明することとするが、本発明は、かかる場合に限るものではなく、対象とするコンテンツデータが、静止画情報や映像情報であっても良いし、テキストデータであっても良いし、これらのデータが複合された形態であっても、勿論構わない。
【実施例１】
【００２１】
図１は、本発明に係るコンテンツ蓄積装置の構成に関する実施形態の一例である音楽蓄積装置のシステム構成図である。
【００２２】
図１に示すシステム構成図において、音楽蓄積装置１００は、ＣＤドライブ１０１と音楽データ管理手段１０２とＨＤＤ１０３とインデックス音楽データ生成手段１０４と外部管理テーブル生成手段１０５とメモリカードインターフェース１０６と液晶表示部１０７とユーザインターフェース１０８と制御部１０９と前記の各回路部を接続するデジタルバスライン１１０とから構成されている。
【００２３】
ここに、ＣＤドライブ１０１は、挿着されたＣＤ１０１ａに記録されている音楽データを読み出すものであり、ＨＤＤ１０３は、ＣＤドライブ１０１から読み出された音楽データ１０３ａ、及び、各該音楽データ１０３ａを特定することができる特定情報（管理データ）により各音楽データ１０３ａを管理する管理テーブル１０３ｂを記録蓄積すると共に、後述する外部管理テーブル１０３ｃとインデックス音楽データ１０３ｄとを格納するものである。
【００２４】
音楽データ管理手段１０２は、前記の管理テーブル１０３ｂの前記特定情報を読み書きして、対応する音楽データ１０３ａの読み出し及び書き込みを管理するものであり、インデックス音楽データ生成手段１０４は、ＨＤＤ１０３に記録蓄積されているそれぞれの音楽データ１０３ａの内容を案内することができるインデックス音楽データ１０３ｄを各前記特定情報に対応させてそれぞれ生成してＨＤＤ１０３に格納するものである。
【００２５】
また、外部管理テーブル生成手段１０５は、ＨＤＤ１０３の音楽データ１０３ａを当該音楽蓄積装置１００とは異なる外部装置（例えば、後述する音楽再生装置）により編集することを可能とするために、管理テーブル１０３ｂに対応する外部管理テーブル１０３ｃを生成して、ＨＤＤ１０３に格納するものであり、ＨＤＤ１０３に格納された外部管理テーブル１０３ｃは、インデックス音楽データ生成手段１０４により生成されてＨＤＤ１０３に格納されている、音楽データ１０３ａの内容を案内するインデックス音楽データ１０３ｄと共にメモリカード１０６ａに転送される。
【００２６】
即ち、外部管理テーブル１０３ｃは、ＨＤＤ１０３に記録蓄積されている各音楽データ１０３ａやインデックス音楽データ１０３ｄを特定することができる特定情報（例えば、後述する図２に示す曲ＩＤ番号２０１などの情報）を含み、該特定情報により特定される各音楽データ１０３ａに関して指定した編集操作をする指示を、当該音楽蓄積装置１００とは異なる外部装置（例えば、後述する音楽再生装置）において行うことができる制御データを更に付加しているものであり、メモリカード１０６ａに転送外部テーブル１０３ｃ′として転送して記録される。
【００２７】
更に説明すると、外部管理テーブル１０３ｃには、管理テーブル１０３ｂに設定された各種の特定情報（管理データ）の他に、前記外部装置から当該音楽蓄積装置１００に対して、音楽データ１０３ａの転送や削除などの指定した編集操作を行う指示（例えば、指定した編集操作を実行することができる制御プログラムを呼び出すための呼び出し指示）となる制御データが記録されており、更に、各前記特定情報により、インデックス音楽データ生成手段１０４により生成された各インデックス音楽データ１０３ｄを索引することができる呼び出し関係も指定することができる。
【００２８】
ここで、インデックス音楽データ１０３ｄとは、前述のごとく、各特定情報により特定されるぞれぞれの音楽データ１０３ａの任意の位置の一部データを切り出したものであり、各当該音楽データ１０３ａの内容案内用として再生可能なインデックス用の音楽データである。外部管理テーブル生成手段１０５により生成されてＨＤＤ１０３に一旦保存された外部管理テーブル１０３ｃは、前記のインデックス音楽データ１０３ｄと共に、ＨＤＤ１０３からメモリカードインターフェース１０６を介してメモリカード１０６ａにそれぞれ転送外部テーブル１０３ｃ′と転送インデックス音楽データ１０３ｄ′として転送して記録される。
【００２９】
また、メモリカードインターフェース１０６は、ＨＤＤ１０３に保存されている外部管理テーブル１０３ｃとインデックス音楽データ１０３ｄと、更には、転送指定された音楽データ１０３ａとを、挿着されたメモリカード１０６ａとの間で、それぞれ転送外部管理テーブル１０３ｃ′と転送インデックス音楽データ１０３ｄ′と更には転送音楽データ１０３ａ′との各形式で読み出し及び書き込みを行うものであり、当該音楽蓄積装置１００とは異なる外部装置（例えば、後述する音楽再生装置）に対して入出力を行うことを可能とする外部入出力インターフェース手段を提供している。
【００３０】
また、液晶表示部１０７は、ユーザインターフェース１０８の操作に応じて、ＨＤＤ１０３に記録蓄積されている音楽データ１０３ａの一覧や各種メニューなどを画面表示するものであり、ユーザインターフェース１０８は、ユーザが指定した動作、あるいは、液晶表示部１０７に表示された各種メニューの中から所望する項目を選択して、所望の動作を行わせるための情報を入力するためのものである。
【００３１】
また、制御部１０９は、ＣＰＵ１０９ａ、ＲＡＭ１０９ｂ、ＲＯＭ１０９ｃから構成されており、ＲＯＭ１０９ｃには、当該音楽蓄積装置１００の全体の動作を制御する蓄積制御プログラムが格納され、ＣＰＵ１０９ａは、該蓄積制御プログラムに応じて、ＲＡＭ１０９ｂ上に演算データを展開して、デジタルバスライン１１０を介して、前述した各回路部の動作を制御するように構成されている。
【００３２】
ここで、ユーザインターフェース１０８からは、ユーザは、例えば、ＣＤドライブ１０１に挿着されたＣＤ１０１ａに記録されている音楽データを選択してＨＤＤ１０３へ音楽データ１０３ａとして選択録音する指定をしたり、ＣＤ１０１ａに記録されている音楽データ、ＨＤＤ１０３に記録蓄積されている音楽データ１０３ａ、又は、メモリカード１０６ａに記録されている音楽データの一覧表示を指定したり、ＨＤＤ１０３とメモリカード１０６ａとの間で、音楽データ１０３ａや外部管理テーブル１０３ｃ、インデックス音楽データ１０３ｄなどの各種データの転送を指定したり、ＨＤＤ１０３に記録蓄積されている音楽データ１０３ａの削除を指定したり、メモリカード１０６ａに対するデータの読み出しや書き込みの開始を指定したり、あるいは、メモリカード１０６ａからデータを読み込んで、ＨＤＤ１０３上に記録されている音楽データ１０３ａの転送・削除などの編集操作を指定したりすることが可能になっている。
【００３３】
また、インデックス音楽データ生成手段１０４は、ＨＤＤ１０３に記録蓄積されている各音楽データ１０３ａ即ち各楽曲の任意の箇所の一部データ例えば先頭から予め定められた時間（例えば３０秒）の間の音楽データを複製して、ＨＤＤ１０３にインデックス音楽データ１０３ｄとして一旦保存し、デジタルバスライン１１０、メモリカードインターフェース１０６を介してメモリカード１０６ａに転送することが可能に構成されている。
【００３４】
続いて、図２は、音楽蓄積装置１００のＨＤＤ１０３に記憶された管理テーブル１０３ｂに登録されている特定情報即ち管理データの構成の一例を示すメモリ構成図である。
【００３５】
図２に示すように、管理テーブル１０３ｂは、少なくとも、ＨＤＤ１０３に記録蓄積されている複数の音楽データ１０３ａやインデックス音楽データ１０３ｄの中のいずれかを特定して選択して呼び出すための特定情報を登録しているものであり、各音楽データ（即ち各楽曲）や対応する各インデックス音楽データを一意に識別可能なように付与された曲ＩＤ番号２０１と、ＨＤＤ１０３に記録蓄積されている各音楽データ（即ち各楽曲）のタイトル名２０２と、各音楽データ（即ち各楽曲）のアーティスト名２０３と、ＨＤＤ１０３に記録蓄積されている各音楽データ（即ち各楽曲）の格納場所を示す音楽データ格納場所２０４と、各インデックス音楽データの格納場所を示すインデックス音楽データ格納場所２０５とを含んで構成されている。
【００３６】
ここで、たとえ、各音楽データ（即ち各楽曲）毎に必要とする記録領域の大きさが異なるとしても、記録する可能性がある音楽データの最大記録領域に、全ての音楽データの記憶領域の大きさを統一して、ＨＤＤ１０３における各音楽データ１０３ａ（即ち各楽曲）の記録領域の大きさを全て同一とすれば、曲ＩＤ番号２０１のみにより、ＨＤＤ１０３における各音楽データの音声データ格納場所２０４を、一意に特定するように構成することができる場合であれば、管理テーブル１０３ｂにおける音楽データ格納場所２０４に関する情報を省略しても良い。
【００３７】
また、インデックス音楽データ格納場所２０５についても、全く同様であり、ＨＤＤ１０３における各インデックス音楽データ１０３ｄの記録領域の大きさを全て同一とすれば、管理テーブル１０３ｂにおけるインデックス音楽データ格納場所２０５に関する情報を設定する必要はない。
【００３８】
なお、各インデックス音楽データ１０３ｄ側にも、対応する各音楽データ１０３ａとの関連付けを行う索引可能なインデックス情報を記憶させるように構成して、各インデックス音楽データ１０３ｄを再生して試聴した際に、試聴した該インデックス音楽データ１０３ｄから、管理テーブル１０３ｂの例えば曲ＩＤ番号２０１を逆引きできるようにしても良い。
【００３９】
続いて、図３は、メモリカードインターフェース１０６に挿着されたメモリカード１０６ａに転送外部管理テーブル１０３ｃ′として転送して記憶させる外部管理テーブル１０３ｃの構成の一例を示すメモリ構成図であり、外部管理テーブル生成手段１０５により生成されて、ＨＤＤ１０３に一旦保存されているものである。
【００４０】
外部管理テーブル１０３ｃは、図３に示すように、当該音楽蓄積装置１００とは異なる他の外部装置（例えば、後述する音楽再生装置）により当該音楽蓄積装置１００に蓄積されている音楽データ１０３ａの編集を行うために、着脱可能なメモリカード１０６ａに必要とする各種データを格納しているものであり、ＨＤＤ１０３に記録蓄積されている全ての音楽データ１０３ａに関する特定情報（曲ＩＤ番号２０１、タイトル名２０２、アーティスト名２０３、音楽データ格納場所２０４、及び、インデックス音楽データ格納場所２０５）を管理テーブル１０３ｂから複写すると共に、更に、該特定情報により特定される各音楽データ１０３ａに関して指定した編集操作の指示を、当該音楽蓄積装置１００とは異なる他の外部装置（例えば、後述する音楽再生装置）において行うための制御データとして、予め登録されている編集操作項目に対応して、少なくとも、ＨＤＤ１０３とメモリカード１０６ａとの間で、選択した音楽データ１０３ａの転送を指定するための転送指定制御コード３０１と、ＨＤＤ１０３から選択した音楽データ１０３ａの削除を指定するための削除指定制御コード３０２とを含んで構成されている。
【００４１】
ここで、転送指定制御コード３０１と削除指定制御コード３０２とには、外部管理テーブル生成手段１０５により生成される場合には、初期値として全て‘０’が設定されており、転送や削除などの編集操作が何ら指定されていない状態に初期設定されている。
【００４２】
なお、前述した図２の管理テーブル１０３ｂの場合と同様に、図３の外部管理テーブル１０３ｃにおいても、音楽データ格納場所２０４に関する情報を省略することができるし、更には、メモリカード１０６ａに転送されて記録されている各転送インデックス音楽データ１０３ｄ′の格納場所に関する情報としても利用することができるインデックス音楽データ格納場所２０５に関する情報も、メモリカード１０６ａにおける各転送インデックス音楽データ１０３ｄ′の記録領域の大きさを全て同一とすれば、省略しても良い。また、各転送インデックス音楽データ１０３ｄ′側に、対応する各音楽データ１０３ａとの関連付けを行う索引可能なインデックス情報を記憶させるように構成しても良い。
【００４３】
続いて、図４は、音楽蓄積装置１００のメモリカードインターフェース１０６に挿着されたメモリカード１０６ａに転送されて記録される各種データの構成の一例を示すメモリ構成図である。
【００４４】
即ち、メモリカード１０６ａには、図４に示すように、図３に示した外部管理テーブル生成手段１０５によりＨＤＤ１０３上に生成された外部管理テーブル１０３ｃを、転送外部管理テーブル１０３ｃ′として転送して格納する転送外部管理テーブル記録領域４０１と、インデックス音楽データ生成手段１０４によりＨＤＤ１０３上に生成された、ＨＤＤ１０３の全ての音楽データ１０３ａに対するインデックス音楽データ１０３ｄを、転送インデックス音楽データ１０３ｄ′として転送して格納する転送インデックス音楽データ記録領域４０２と、図３に示す転送指定制御コード３０１により転送指定がなされることにより、ＨＤＤ１０３から読み出して転送された音楽データを示す転送音楽データ１０３ａ′を格納する転送音楽データ記録領域４０３とが少なくとも確保されている。
【００４５】
続いて、音楽蓄積装置１００のＲＯＭ１０９ｃに格納されて、蓄積すべき音楽データの編集操作を行う蓄積制御プログラムの流れについて、図５及び図６に示す動作フローチャートを用いて説明を行う。
【００４６】
ここで、図５は、図１に示す音楽蓄積装置１００に備えられたメモリカードインターフェース１０６に挿着されたメモリカード１０６ａへの書き出しに関する蓄積制御プログラムの動作の一例を示す動作フローチャートである。
【００４７】
図５に示す蓄積制御プログラムは、ユーザインターフェース１０８を介して、ユーザがメモリカード１０６ａへのデータの書き込み開始を指定することにより起動される。
【００４８】
該蓄積制御プログラムが起動すると、まず、外部管理テーブル生成手段１０５により生成されてＨＤＤ１０３に保存されている外部管理テーブル１０３ｃ（図３に一例を示す）を、メモリカード１０６ａの転送外部管理テーブル記録領域４０１に転送外部管理テーブル１０３ｃ′として書き込む（ステップＳ５０１）。
【００４９】
次いで、インデックス音楽データ生成手段１０４により生成されてＨＤＤ１０３に保存されているインデックス音楽データ１０３ｄを、順次、転送インデックス音楽データ記録領域４０２に転送インデックス音楽データ１０３ｄ′として書き込んで（ステップＳ５０２）、処理を終了する。
【００５０】
次に、図６は、図１に示す音楽蓄積装置１００に備えられたメモリカードインターフェース１０６に挿着されたメモリカード１０６ａの転送外部管理テーブル記録領域４０１からの転送外部管理テーブル１０３ｃ′の読み出しと、読み出された転送外部管理テーブル１０３ｃ′の編集操作指示内容に応じた処理を行う蓄積制御プログラムの動作の一例を示す動作フローチャートである。
【００５１】
なお、図６に示す動作フローチャートにおいては、理解し易くするために、転送外部管理テーブル記録領域４０１の転送外部管理テーブル１０３ｃ′に登録されている楽曲が１個のみである場合について説明を行う。
【００５２】
ここに、蓄積制御プログラムの図６に示す動作フローチャートは、ユーザが、当該音楽蓄積装置１００とは異なる外部装置（例えば、後述する音楽再生装置）においてメモリカード１０６ａ上の転送外部管理テーブル１０３ｃ′を編集した後、当該音楽蓄積装置１００のメモリカードインターフェース１０６に該メモリカード１０６ａを再度挿着して、ユーザインターフェース１０８を介して、ユーザがメモリカード１０６ａからの転送外部管理テーブル１０３ｃ′の読み出し開始を指定することにより起動される。
【００５３】
該蓄積制御プログラムが起動すると、まず、メモリカード１０６ａの転送外部管理テーブル記録領域４０１から転送外部管理テーブル１０３ｃ′の読み込みを行い、転送外部管理テーブル１０３ｃ′に設けられている制御コードの種別を選択するための制御選択メニュー画面を液晶表示部１０７に表示する（ステップＳ６０１）。なお、本実施例においては、転送外部管理テーブル１０３ｃ′に設けられている制御コードとして、前述のごとく、転送指定制御コード３０１と削除指定制御コード３０２との２種類であるので、“転送”と“削除”と“選択項目なし”との３つの項目のいずれを選択するかという選択メニュー画面を液晶表示部１０７に表示する。ここで、転送指定制御コード３０１と削除指定制御コード３０２という制御コードと、選択メニュー画面に表示される“転送”と“削除”というテキストデータとは予め一意に対応付けがなされている。
【００５４】
続いて、画面表示されている選択メニュー画面の中から制御コードの選択操作を、ユーザがユーザインターフェース１０８を介して行うと、ユーザによりなされた選択結果の検出を行う（ステップＳ６０２）。即ち、ユーザにより“選択項目なし”と“転送”と“削除”と“選択項目なし”のいずれが選択指定されているかの判定を行い（ステップＳ６０３）、“選択項目なし”を選択した場合（ステップＳ６０３の“なし”）は、転送外部管理テーブル１０３ｃ′に登録されている音楽データは編集すべき音楽データではないとして、本蓄積制御プログラムを終了する。一方、“転送”を選択した場合（ステップＳ６０３の“転送”）は、ステップＳ６０４へ移行し、“削除” を選択した場合（ステップＳ６０３の“削除”）は、ステップＳ６０５へ移行する。
【００５５】
ここで、“転送”を選択した場合（ステップＳ６０３の“転送”）は、転送外部管理テーブル１０３ｃ′に登録されている音楽データに関する転送指定のパラメータである転送指定制御コード３０１が、当該音楽蓄積装置１００とは異なる外部装置において編集されて、“１”に設定されているか否かを判定し（ステップＳ６０４）、“１”に設定されている場合（ステップＳ６０４のＹＥＳ）、ステップＳ６０６へ移行し、“０”に設定されている場合（ステップＳ６０４のＮＯ）、転送外部管理テーブル１０３ｃ′に登録されている当該音楽データは転送が要求されていない音楽データであると判断して、本蓄積制御プログラムを終了する。
【００５６】
一方、“削除” を選択した場合（ステップＳ６０３の“削除”）は、転送外部管理テーブル１０３ｃ′に登録されている音楽データに関する削除指定のパラメータである削除指定制御コード３０２が、当該音楽蓄積装置１００とは異なる外部装置において編集されて、“１”に設定されているか否かを判定し（ステップＳ６０５）、“１”に設定されている場合（ステップＳ６０５のＹＥＳ）、ステップＳ６０７へ移行し、“０”に設定されている場合（ステップＳ６０５のＮＯ）、転送外部管理テーブル１０３ｃ′に登録されている当該音楽データは削除が要求されていない音楽データであると判断して、本蓄積制御プログラムを終了する。
【００５７】
転送指定制御コード３０１が“１”に設定されていた場合（ステップＳ６０４のＹＥＳ）には、指定された音楽データをＨＤＤ１０３の音楽データ１０３ａの中から選択してメモリカード１０６ａへ転送する転送処理プログラムをＲＯＭ１０９ｃから呼び出して、音楽データ管理手段１０２を制御して、転送外部管理テーブル１０３ｃ′において転送指定制御コード３０１が“１”に設定されている曲ＩＤ番号２０１あるいは音楽データ格納場所２０４の音楽データ１０３ａを索引して、該当する音楽データ１０３ａを転送音楽データ１０３ａ′としてＨＤＤ１０３からメモリカード１０６ａの転送指定音楽データ記録領域４０３へ転送させて（ステップＳ６０６）、本蓄積制御プログラムを終了する。
【００５８】
一方、削除指定制御コード３０２が“１”に設定されていた場合（ステップＳ６０５のＹＥＳ）には、指定された音楽データをＨＤＤ１０３の音楽データ１０３ａの中から選択して削除する削除処理プログラムをＲＯＭ１０９ｃから呼び出して、音楽データ管理手段１０２を制御して、転送外部管理テーブル１０３ｃ′において削除指定制御コード３０１が“１”に設定されている曲ＩＤ番号２０１あるいは音楽データ格納場所２０４の音楽データ１０３ａを索引して、該当する音楽データ１０３ａをＨＤＤ１０３から削除させて（ステップＳ６０７）、本蓄積制御プログラムを終了する。
【００５９】
前述した図６の動作フローチャートにおいては、転送外部管理テーブル１０３ｃ′に設定されている楽曲（音楽データを示す曲ＩＤ番号２０１）が１曲のみである場合について述べたが、複数の楽曲が設定されている場合であっても、ステップＳ６０３に示す“転送”と“削除”と“選択項目なし”との判定処理を行い、“転送”の指定がなされていた場合であれば、“転送”の指定がある（即ち、転送指定制御コード３０１が“１”に設定されている）全ての楽曲について、ステップＳ６０４とＳ６０６との処理を、転送外部管理テーブル１０３ｃ′に設定されている曲順に繰り返し行い、一方、“削除”の指定がなされていた場合であれば、“削除”の指定がある（即ち、削除指定制御コード３０２が“１”に設定されている）全ての楽曲について、ステップＳ６０５とＳ６０７との処理を、転送外部管理テーブル１０３ｃ′に設定されている曲順に繰り返し行うようにすれば良い。
【００６０】
また、前述した実施例においては、外部管理テーブル生成手段１０５により生成される外部管理テーブル１０３ｃ及び転送外部管理テーブル１０３ｃ′には、当該音楽蓄積装置１００とは異なる外部装置において音楽データ１０３ａに関して指定することができる編集操作の種類として、転送指定制御コード３０１と削除指定制御コード３０２との２種類のみの制御コードが予め登録されて設定されることとしたが、音楽蓄積装置１００として実施すべき編集操作項目が更に存在している場合（例えば、ＣＤドライブ１０１以外に、メモリカードインターフェース１０６を介して、音楽データをＨＤＤ１０３に記録蓄積する制御項目を追加しているような場合）があれば、かかる２種類に限ることなく、更に追加しても良いことは言うまでもない。いずれの場合であっても、予め登録されている複数種類の編集操作項目（制御コード）全てを有する転送外部管理テーブル１０３ｃ′を生成してメモリカード１０６ａに転送して記録させることにより、前記外部装置において転送外部管理テーブル１０３ｃ′の複数種類の編集操作項目（制御コード）の中からいずれでも選択して指定することができるように構成されている。
【００６１】
また、前述した実施例においては、図５に示すメモリカード１０６ａへの書き出し処理や図６に示す転送外部管理テーブル１０３ｃ′の編集操作指示内容に応じた音楽データ１０３ａの編集処理が、ＲＯＭ１０９ｃに格納されている蓄積制御プログラムのようなプログラム論理により実施されている場合を示したが、本発明においては、かくのごとき処理を、プログラム論理ではなく、ハードウェア手段を含め、異なる実現手段を用いて実施することにしても良い。
【００６２】
更には、音楽蓄積装置１００のみを用いて、当該音楽蓄積装置１００のＨＤＤ１０３に記録蓄積されている音楽データ１０３ａに関して編集する操作（例えば、転送や削除などの操作）を行う蓄積制御プログラムを呼び出すことができるプログラム呼び出しコードを、ユーザがユーザインターフェース１０８を介して直接入力して起動することにより、ＨＤＤ１０３に記録蓄積されている音楽データ１０３ａに関する編集操作種別を示す制御コードの種類に関する選択メニュー画面を、例えば、液晶表示部１０７に画面表示させて、ユーザが選択した制御コードによって音楽データ１０３ａの編集操作を行うようにしても良い。
【００６３】
また、インデックス音楽データ生成手段１０４は、前述したように、ＨＤＤ１０３に記録蓄積されている各音楽データ１０３ａのそれぞれ楽曲の先頭から予め定められた時間（例えば３０秒）の間の音楽データを用いる代わりに、それぞれの楽曲において任意の箇所の一部音楽データを切り出すこととしても良いし、更には、各音楽データ１０３ａの周波数変換を行い、人間の聴覚の特性であるマスキング効果を利用して、聞こえ難い周波数成分を間引いたり、あるいは、識別し難い大きな音量レベル（振幅レベル）の音楽データ部分を間引くことにより、再生帯域の圧縮処理を行い、音楽データ１０３ａからデータサイズを大幅に低減させる処理を行って、インデックス音楽データ１０３ｄとして生成するようにしても良い。
【００６４】
次に、前述したような転送外部管理テーブル１０３ｃ′や転送インデックス音楽データ１０３ｄ′や転送音楽データ１０３ａ′が記録されているメモリカード１０６ａを用いて、当該音楽蓄積装置１００とは異なる外部装置である音楽再生装置において、メモリカード１０６ａに記録されているインデックス音楽データ１０３ｄ′や転送音楽データ１０３ａ′の再生や、転送外部管理テーブル１０３ｃ′に関する編集を行う場合について説明する。
【００６５】
図７は、本発明に係るコンテンツ再生装置の構成に関する実施形態の一例である音楽再生装置のシステム構成図である。
【００６６】
図７に示すシステム構成図において、音楽再生装置７００は、メモリカードインターフェース７０１と外部管理テーブル編集手段７０２と音楽データ再生手段７０３とユーザインターフェース７０４と音声変換手段７０５と制御部７０６と各回路部を接続するデジタルバスライン７０７とから構成されている。
【００６７】
ここに、メモリカードインターフェース７０１は、挿着されたメモリカード１０６ａから、前述のごとき転送インデックス音楽データ１０３ｄ′や転送音楽データ１０３ａ′の読み出しと、転送外部管理テーブル１０３ｃ′の読み出し及び書き込みを行うものであり、当該音楽再生装置７００とは異なる外部装置（例えば、図１に示す音楽蓄積装置）に対して入出力を行う外部入出力インターフェース手段を提供するものである。また、音楽データ再生手段７０３は、メモリカード１０６ａから読み出された転送インデックス音楽データ１０３ｄ′や転送音楽データ１０３ａ′の再生を行うものである。
【００６８】
外部管理テーブル編集手段７０２は、当該音楽再生装置７００における編集操作指示手段となる再生制御プログラムにより作成された各コンテンツデータに関する編集操作の指示を転送外部管理テーブル１０３ｃ′に設定するように、転送外部管理テーブル１０３ｃ′を編集する外部管理テーブル編集手段を提供するものであり、ＲＯＭ７０６ｃにプログラムとして格納してＣＰＵ７０６ａにより実行するように構成しても良い。
【００６９】
また、ユーザインターフェース７０４は、当該音楽再生装置７００に対してユーザが指定した動作を行わせるための情報を入力するためのものである。
【００７０】
音声変換手段７０５は、音楽データ再生手段７０３が再生した音楽データを音声に変換してスピーカなどから出力するものである。
【００７１】
また、制御部７０６は、ＣＰＵ７０６ａ、ＲＡＭ７０６ｂ、ＲＯＭ７０６ｃから構成されており、ＲＯＭ７０６ｃには、当該音楽再生装置７００の全体の動作を制御する再生制御プログラムが格納され、ＣＰＵ７０６ａは、該再生制御プログラムに応じて、ＲＡＭ７０６ｃ上に演算データを展開して、デジタルバスライン７０７を介して、前述した各回路部の動作を制御するように構成されている。
【００７２】
ここで、ユーザインターフェース７０４からは、ユーザは、例えば、メモリカードインターフェース７０１に挿着されたメモリカード１０６ａに記録されている転送インデックス音楽データ１０３ｄ′や転送音楽データ１０３ａ′を選択して、音楽データ再生手段７０３により再生することを指定したり、再生された転送インデックス音楽データ１０３ｄ′を音声変換手段７０５により音声に変換出力して試聴しながら、転送外部管理テーブル１０３ｃ′の編集（即ち、当該音楽再生装置７００とは異なる外部の音楽蓄積装置１００に蓄積されている音楽データ１０３ａの削除や、あるいは、当該音楽再生装置７００への転送など）を指定したりすることができる。
【００７３】
即ち、ユーザインターフェース７０４からのユーザの入力内容に応じて動作する再生制御プログラムの一つとして、転送外部管理テーブル１０３ｃ′の特定情報により特定される各音楽データ１０３ａの内容を案内することができる転送インデックス音楽データ１０３ｄ′を音楽データ再生手段７０３により再生して、ユーザが、当該特定情報により特定される音楽データ１０３ａに関して指定した編集操作（例えば、転送や削除など）を指示する編集操作指示手段を構成している。
【００７４】
次に、音楽再生装置７００のＲＯＭ７０６ｃに格納されて、再生のために転送されてきた転送外部管理テーブル１０３ｃ′の編集操作を行う再生制御プログラムの流れについて、図８に示す動作フローチャートを用いて説明を行う。
【００７５】
図８は、図７に示す音楽再生装置７００に備えられたメモリカードインターフェース７０１に挿着されたメモリカード１０６ａの転送外部管理テーブル記録領域４０１に記録されている転送外部管理テーブル１０３ｃ′の編集処理を行う再生制御プログラムの動作の一例を示す動作フローチャートであり、前述の外部管理テーブル編集手段７０２をＲＯＭ７０６ｃに格納した再生制御プログラムの一環として実現した場合を示している。
【００７６】
ここで、再生制御プログラムの図８に示す動作フローチャートは、図１に示す音楽蓄積装置１００により図４のメモリ構成図に示すように記録されたメモリカード１０６ａをメモリカードインターフェース７０１に挿着し、ユーザインターフェース７０４を介して、ユーザが、メモリカード１０６ａからの転送インデックス音楽データ１０３ｄ′を選択試聴して、当該転送インデックス音楽データ１０３ｄ′に対応する音楽データの編集操作（即ち、当該音楽再生装置７００とは異なる外部装置である例えば音楽蓄積装置１００に蓄積されている音楽データ１０３ａに関する転送や削除操作）の指示を転送外部管理テーブル１０３ｃ′に設定することを指定した場合に起動される。即ち、当該音楽再生装置７００とは異なる外部装置（例えば、前記図１に示す音楽蓄積装置１００など）からメモリカードインターフェース７０１を介して入力された転送外部管理テーブル１０３ｃ′に記録されている特定情報（即ち、前記外部装置に記録蓄積されている音楽データを特定することができる特定情報）により特定された各音楽データに関する編集操作を指示する編集操作指示手段の動作結果として、指定された編集操作の指示を転送外部管理テーブル１０３ｃ′に設定することを、ユーザが指定した場合に起動される。
【００７７】
なお、図８に示す動作フローチャートにおいては、理解し易くするために、メモリカード１０６ａの転送外部管理テーブル記録領域４０１の転送外部管理テーブル１０３ｃ′に登録されている転送インデックス音楽データ１０３ｄ′が１個のみである場合について説明を行う。
【００７８】
該再生制御プログラムが起動すると、転送外部管理テーブル１０３ｃ′に設けられている制御コードとしては、前述のごとく、転送指定制御コード３０１と削除指定制御コード３０２との２種類が用意されている場合について説明しているので、まず、ユーザが、ユーザインターフェース７０４を介して、“転送”と“削除”と“編集項目なし”とのいずれを指定したかの判定を行い（ステップＳ８０１）、“編集項目なし”を選択した場合（ステップＳ８０１の“なし”）は、転送外部管理テーブル１０３ｃ′に登録されている音楽データは編集すべき音楽データではないとして、本再生制御プログラムを終了する。一方、“転送”が指定されていた場合（ステップＳ８０１の“転送”）は、ステップＳ８０２へ移行し、“削除”が指定されていた場合（ステップＳ８０１の“削除”）は、ステップＳ８０３へ移行する。
【００７９】
なお、図７には表示していないが、当該音楽再生装置７００に液晶表示部を備えている場合であれば、各制御コードに対応させた“転送”と“削除”と“編集項目なし”との３つの項目のいずれを選択するかという選択メニュー画面を液晶表示部に表示して、ユーザの選択操作をガイドするようにしても構わない。
【００８０】
ユーザにより“転送”が指定されていた場合（ステップＳ８０１の“転送”）は、転送外部管理テーブル１０３ｃ′において、転送を指定された音楽データに関する転送指定のパラメータである転送指定制御コード３０１に“１”を設定して、本再生制御プログラムを終了する。
【００８１】
一方、ユーザにより“削除”が指定されていた場合（ステップＳ８０１の“削除”）は、転送外部管理テーブル１０３ｃ′において、削除を指定された音楽データに関する削除指定のパラメータである削除指定制御コード３０２に“１”を設定して、本再生制御プログラムを終了する。
【００８２】
前述した図８の動作フローチャートにおいては、転送外部管理テーブル１０３ｃ′に設定されている転送インデックス音楽データ１０３ｄ′（即ち、音楽データを示す曲ＩＤ番号２０１）が１曲のみである場合について述べたが、複数の楽曲が転送外部管理テーブル１０３ｃ′に設定されている場合であっても、ユーザが、例えば、転送外部管理テーブル１０３ｃ′に設定されている曲ＩＤ番号２０１の順番に、転送インデックス音楽データ１０３ｄ′を順次再生しながら、編集操作（転送や削除の操作）を必要とするか否かを判断して、編集操作が必要であるとして、ユーザが、ユーザインターフェース７０４を介して指定した編集操作の指示をした場合には、現在再生中の転送インデックス音楽データ１０３ｄ′を示す曲ＩＤ番号２０１に対応する転送外部管理テーブル１０３ｃ′の転送指定制御コード３０１又は削除指定制御コード３０２に“１”に設定する処理を、全ての楽曲について、繰り返すようにすれば良い。
【００８３】
また、前述した実施例においては、図８に示す転送外部管理テーブル１０３ｃ′の編集処理が、ＲＯＭ７０６ｃに格納されている再生制御プログラムのようなプログラム論理により実施される場合を示したが、本発明においては、前述したように、プログラム論理ではなく、ハードウェア手段を含め、異なる実現手段により実施することにしても良い。
【００８４】
また、以上に述べた実施例においては、音楽蓄積装置１００のインデックス音楽データ生成手段１０４により生成されるインデックス音楽データ１０３ｄは、各音楽データ１０３ａの楽曲の先頭から予め定められた所定の時間（例えば３０秒）であっても良いが、例えば、前述したように、人間の聴覚特性を利用して間引き処理を施したデータを用いても良いし、各音楽データ１０３ａを特定することができるインデックスデータであれば、如何なるデータを用いることとしても構わない。
【００８５】
また、図１に示す音楽蓄積装置１００と図７に示す音楽再生装置７００との間で、転送インデックス音楽データ１０３ｄ′や転送音楽データ１０３ａ′及び転送外部管理テーブル１０３ｃ′に関するデータを転送する媒体として、メモリカード１０６ａを用いている場合を示したが、ＣＤ、ＭＤ、ＭＯ又はＤＶＤのような光ディスクからなる記録媒体であっても良いし、あるいは、図４に示したようなメモリカードのメモリ構成からなるデータフォーマットを、例えば、通信ネットワークを介して転送する通信フォーマットとし、音楽蓄積装置１００のメモリカードインターフェース１０６、及び、音楽再生装置７００のメモリカードインターフェース７０１の代わりに、通信ネットワークとの間でデータを転送することができる通信手段即ちネットワークインターフェースを用いることとして、前記通信フォーマットからなる転送インデックス音楽データ１０３ｄ′や転送音楽データ１０３ａ′及び転送外部管理テーブル１０３ｃ′に関するデータを、通信ネットワークを介して転送するように構成しても良い。ここで、かかる通信ネットワークとしては、携帯電話機やＰＨＳ電話機に適用されている移動無線ネットワークであっても良いし、無線ＬＡＮやＢｌｕｅｔｏｏｔｈなどのローカル無線ネットワークであっても良いし、あるいは、専用線や有線ＰＳＤＮなどの有線公衆通信網や、更には、インタネットを用いても良い。
【００８６】
更には、前述した実施例においては、取り扱うコンテンツデータとして、音楽データを対象としている場合を例に取って説明したが、本発明は、かかる場合のみに限るものではなく、例えば、映像データを対象とする場合や、映像データと音声データとの複合データを対象とする場合や、テキストデータなどを対象とする場合など、如何なるコンテンツデータに対しても適用することができることは言うまでもない。
【符号の説明】
【００８７】
１００  音楽蓄積装置
１０１  ＣＤドライブ
１０２  音楽データ管理手段
１０１ａ  ＣＤ
１０３  ＨＤＤ
１０３ａ  音楽データ
１０３ａ′  転送音楽データ
１０３ｂ  管理テーブル
１０３ｃ  外部管理テーブル
１０３ｃ′  転送外部管理テーブル
１０３ｄ  インデックス音楽データ
１０３ｄ′  転送インデックス音楽データ
１０４  インデックス音楽データ生成手段
１０５  外部管理テーブル生成手段
１０６、７０１  メモリカードインターフェース
１０６ａ  メモリカード
１０７  液晶表示部
１０８、７０４  ユーザインターフェース
１０９、７０６  制御部
１０９ａ、７０６ａ  ＣＰＵ
１０９ｂ、７０６ｂ  ＲＡＭ
１０９ｃ、７０６ｃ  ＲＯＭ
１１０、７０７  デジタルバスライン
２０１  曲ＩＤ番号
２０２  タイトル名
２０３  アーティスト名
２０４  音楽データ格納場所
２０５  インデックス音楽データ格納場所
３０１  転送指定制御コード
３０２  削除指定制御コード
４０１  転送外部管理テーブル記録領域
４０２  転送インデックス音楽データ記録領域
４０３  転送音楽データ記録領域
７００  音楽再生装置
７０２  外部管理テーブル編集手段
７０３  音楽データ再生手段
７０５  音声変換手段
【図１】
2011040159.tif 000003
【図２】
2011040159.tif 000004
【図３】
2011040159.tif 000005
【図４】
2011040159.tif 000006
【図５】
2011040159.tif 000007
【図６】
2011040159.tif 000008
【図７】
2011040159.tif 000009
【図８】
2011040159.tif 000010